(57)【要約】  選択された２つの集合のアイコン（７６Ａ、７６Ｂ）の外周に、各集合に含まれるカード（１００）を配置し、第１の集合のアイコン（７６Ａ）の外周の所定の位置に配置されたカード（１００Ａ）と属性情報が類似する第２の集合に含まれるカード（１００Ｂ）を特定し、カード（１００Ａ）を、第１の集合のアイコン（７６Ａ）の外周上において、第２の集合のアイコン（７６Ｂ）と対向する位置に配置し、カード（１００Ｂ）を、第２の集合のアイコン（７６Ｂ）の外周上において、第１の集合のアイコン（７６Ａ）と対向する位置に配置し、カード（１００Ａ、１００Ｂ）間を線（８６）で結ぶことにより、集合間の関連性を示す情報を把握し易く表示する。
2020026317.tif 000002
【特許請求の範囲】
【請求項１】
１以上の属性情報が対応付けられたカードを１以上含む複数の集合から、２つの集合の選択を受け付け、
選択された前記２つの集合の各々に含まれるカードから、前記２つの集合間で、前記カードに対応付けられた属性情報が類似するカードを抽出し、
前記２つの集合を示すアイコンの各々の外周であって、２つの前記アイコンが対向する位置に、抽出した前記カードを表示する
ことを含む処理をコンピュータに実行させるための表示制御プログラム。
【請求項２】
前記２つの集合のうちの第１の集合に含まれるカードから、１つのカードの選択を受け付け、
選択された前記１つのカードと属性情報が類似するカードを、前記２つの集合のうちの第２の集合に含まれるカードから抽出し、
選択された前記１つのカードと、抽出された前記カードとを、前記対向する位置に表示する
請求項１に記載の表示制御プログラム。
【請求項３】
前記第１の集合に含まれるカードから、選択された前記１つのカードと属性情報が類似するカードを抽出すると共に、前記第２の集合に含まれるカードから、前記第２の集合から前記１つのカードと属性情報が類似するカードとして抽出された前記カードと属性情報が類似するカードを抽出し、
前記第１の集合内及び前記第２の集合内の各々で、前記属性情報が類似するカードの組を線で結んで表示する
請求項２に記載の表示制御プログラム。
【請求項４】
前記２つの集合を示すアイコンに対する所定の操作を受け付けた場合に、選択された前記２つの集合の各々に含まれるカードから、前記２つの集合間で、前記カードに対応付けられた属性情報が類似するカードの組を複数抽出し、
前記カードの組を線で結ぶと共に、前記線が交差しない位置に、抽出した前記カードを表示する
請求項１〜請求項３のいずれか１項に記載の表示制御プログラム。
【請求項５】
前記カードの組のうち、属性情報の類似度が高いほど、カード間の距離が短くなる位置に表示する請求項４に記載の表示制御プログラム。
【請求項６】
前記２つの集合の選択として、異なる階層間の集合の選択を許容する請求項１〜請求項５のいずれか１項に記載の表示制御プログラム。
【請求項７】
前記属性情報は、前記カードが議論の場で選択される選択肢として機能するための意味情報を含む請求項１〜請求項６のいずれか１項に記載の表示制御プログラム。
【請求項８】
前記属性情報は、前記カードが示す意味情報の価値を評価した評価情報を含む請求項７に記載の表示制御プログラム。
【請求項９】
前記属性情報は、前記カードが前記議論の場で選択された履歴情報を含む請求項７又は請求項８に記載の表示制御プログラム。
【請求項１０】
前記履歴情報は、前記カードが前記議論の場で選択された頻度、及び前記カードが選択された際の前記議論の場の状況の少なくとも一方を含む請求項９に記載の表示制御プログラム。
【請求項１１】
１以上の属性情報が対応付けられたカードを１以上含む複数の集合から、２つの集合の選択を受け付ける受付部と、
選択された前記２つの集合の各々に含まれるカードから、前記２つの集合間で、前記カードに対応付けられた属性情報が類似するカードを抽出する抽出部と、
前記２つの集合を示すアイコンの各々の外周であって、２つの前記アイコンが対向する位置に、抽出した前記カードを表示する表示制御部と、
を含む表示制御装置。
【請求項１２】
前記受付部は、前記２つの集合のうちの第１の集合に含まれるカードから、１つのカードの選択を受け付け、
前記抽出部は、選択された前記１つのカードと属性情報が類似するカードを、前記２つの集合のうちの第２の集合に含まれるカードから抽出し、
前記表示制御部は、選択された前記１つのカードと、抽出された前記カードとを、前記対向する位置に表示する
請求項１１に記載の表示制御装置。
【請求項１３】
前記抽出部は、前記第１の集合に含まれるカードから、選択された前記１つのカードと属性情報が類似するカードを抽出すると共に、前記第２の集合に含まれるカードから、前記第２の集合から前記１つのカードと属性情報が類似するカードとして抽出された前記カードと属性情報が類似するカードを抽出し、
前記表示制御部は、前記第１の集合内及び前記第２の集合内の各々で、前記属性情報が類似するカードの組を線で結んで表示する
請求項１２に記載の表示制御装置。
【請求項１４】
前記抽出部は、前記２つの集合を示すアイコンに対する所定の操作を受け付けた場合に、選択された前記２つの集合の各々に含まれるカードから、前記２つの集合間で、前記カードに対応付けられた属性情報が類似するカードの組を複数抽出し、
前記表示制御部は、前記カードの組を線で結ぶと共に、前記線が交差しない位置に、抽出した前記カードを表示する
請求項１１〜請求項１３のいずれか１項に記載の表示制御装置。
【請求項１５】
前記表示制御部は、前記カードの組のうち、属性情報の類似度が高いほど、カード間の距離が短くなる位置に表示する請求項１４に記載の表示制御装置。
【請求項１６】
前記受付部は、前記２つの集合の選択として、異なる階層間の集合の選択を許容する請求項１１〜請求項１５のいずれか１項に記載の表示制御装置。
【請求項１７】
前記属性情報は、前記カードが議論の場で選択される選択肢として機能するための意味情報を含む請求項１１〜請求項１６のいずれか１項に記載の表示制御装置。
【請求項１８】
前記属性情報は、前記カードが示す意味情報の価値を評価した評価情報を含む請求項１７に記載の表示制御装置。
【請求項１９】
前記属性情報は、前記カードが前記議論の場で選択された履歴情報を含む請求項１７又は請求項１８に記載の表示制御装置。
【請求項２０】
１以上の属性情報が対応付けられたカードを１以上含む複数の集合から、２つの集合の選択を受け付け、
選択された前記２つの集合の各々に含まれるカードから、前記２つの集合間で、前記カードに対応付けられた属性情報が類似するカードを抽出し、
前記２つの集合を示すアイコンの各々の外周であって、２つの前記アイコンが対向する位置に、抽出した前記カードを表示する
ことを含む処理をコンピュータが実行する表示制御方法。
【発明の詳細な説明】
【技術分野】
【０００１】
開示の技術は、表示制御プログラム、表示制御装置、及び表示制御方法に関する。
【背景技術】
【０００２】
例えば、ワークショップ形式のように、複数のユーザが集まる場で、各ユーザの考えを十分に引き出して検討を深めながら、複数のユーザが属する企業や自治体などのグループの課題解決に向けた議論を行う作業がある。このような作業では、様々な事項に目を向けた議論を行うことで、ワークショップが活発化し、検討を深めることができる。そこで、他のワークショップの情報を参考にすることが有効になる場合がある。例えば、自グループと属性が類似する集合に含まれる他のグループ、例えば、同業他社に関する情報や、自グループと属性が異なる集合、例えば、異業種に関する情報等を参考にするなど、自グループと関連のある要素や集合の情報を参考にすることが考えられる。【０００３】
従来、要素間や集合間の関連を表示装置に表示することが行われている。例えば、一又は複数の動画に登場する人物について、人物間の関係性をユーザに分かり易く提示する表示装置が提案されている。この装置は、各登場人物が動画中に登場する区間を表した区間メタデータを利用し、共演関係に基づく登場人物間の関係性の強さを表す関係性スコアを算出する。そして、この装置は、動画に登場する各登場人物に対応するオブジェクトを表示し、関係性スコアが高い登場人物の組に対応するオブジェクトを互いに近い位置に表示する。また、この装置は、関係性スコアが低い登場人物の組に対応するオブジェクトの組を互いに離れた位置に表示する。【０００４】
また、事物、人物、概念などのある要素に対するある要素の関連の有無を操作者に分かり易く表示する関連有無表示装置が提案されている。この装置は、円卓ビューにおいて、中央の円（原点）から放射状に複数の軸が伸び、各軸と円との交点の外側に各軸に割り当てられたテーマを表すアイコンを配置する。また、円卓上には文書を表すアイコンが、各テーマに対する各文書の関連度と各テーマの有する引力とにより決定される位置に配置される。
【先行技術文献】
【特許文献】
【０００５】
【特許文献１】特開２０１２−２５６１０５号公報
【特許文献２】特開２００３−２３３６２６号公報
【発明の概要】
【発明が解決しようとする課題】
【０００６】
しかしながら、従来技術は、集合間の関連を分かり易く表示するものではない。【０００７】
開示の技術は、一つの側面として、集合間の関連性を示す情報を把握し易く表示することを目的とする。
【課題を解決するための手段】
【０００８】
開示の技術は、一つの態様として、１以上の属性情報が対応付けられたカードを１以上含む複数の集合から、２つの集合の選択を受け付ける。そして、選択された前記２つの集合の各々に含まれるカードから、前記２つの集合間で、前記カードに対応付けられた属性情報が類似するカードを抽出する。さらに、前記２つの集合を示すアイコンの各々の外周であって、２つの前記アイコンが対向する位置に、抽出した前記カードを表示する。
【発明の効果】
【０００９】
一つの側面として、集合間の関連性を示す情報を把握し易く表示することができる、という効果を有する。
【図面の簡単な説明】
【００１０】
【図１】カードの一例を示す図である。
【図２】ワークショップでのカードの使用例を説明するための図である。
【図３】本実施形態に係る表示制御システムの概略構成を示す図である。
【図４】本実施形態に係る表示制御装置の機能ブロック図である。
【図５】企業データベースの一例を示す図である。
【図６】操作ダイヤルの操作の一例を示す図である。
【図７】操作ダイヤルの操作の一例を示す図である。
【図８】カードデータベースの一例を示す図である。
【図９】集合画面の一例を示す図である。
【図１０】集合画面の一例を示す図である。
【図１１】集合画面の一例を示す図である。
【図１２】カード選択画面の一例を示す図である。
【図１３】第１表示画面の一例を示す図である。
【図１４】第２表示画面の一例を示す図である。
【図１５】本実施形態に係る表示制御装置として機能するコンピュータの概略構成を示すブロック図である。
【図１６】本実施形態における表示制御処理の一例を示すフローチャートである。
【図１７】第１表示処理の一例を示すフローチャートである。
【図１８】第２表示処理の一例を示すフローチャートである。
【発明を実施するための形態】
【００１１】
以下、図面を参照して開示の技術に係る実施形態の一例を詳細に説明する。
【００１２】
以下の実施形態では、例えば、ＩＣＴ（Information and Communication Technology）を活用し、社内外の問題解決を目指すワークショップの参考となる情報を表示する場合を例に説明する。以下の実施形態では、参考となる情報を抽出する際、ワークショップで使用されるカードの情報を利用する。そこで、本実施形態の詳細を説明する前に、ワークショップにおけるカードの使用の一例について説明する。
【００１３】
カードは、ワークショップにおける検討の材料としてワークショップに参加するユーザに提示される様々な選択肢の各々を、文字情報と、写真やイラストなどの画像とを用いて電子的に表したものである。以下の実施形態においては、このような選択肢をカードと表記するが、カードは必ずしも矩形で区切られた表示である必要はない。例えば、ユーザに対して文字情報、画像などの情報を提示でき、またユーザ操作によって個別に選択し得るものであれば、その呼び名、形状は他の態様であってもよい。図１に、カード１００の一例を示す。図１の例では、カード１００には、そのカード１００が表す内容を端的に表現したカードタイトル１００Ｐと、イラスト１００Ｑとが含まれる。なお、カード１００は、カードタイトル１００Ｐのみ、又はイラスト１００Ｑのみを含むものであってもよい。
【００１４】
カード１００として表す選択肢には、様々な内容を採用することができ、例えば、施設に関するもの、働き方に関するもの、ＩＣＴを利用できそうなもの、ＩＣＴとは直接的には関係ないもの等を含むことができる。なお、ワークショップで議論する課題を解決に導くヒントとなるように、カード１００が表現する内容には、人、デジタル技術、そこから導き出される価値の情報が含まれてもよい。
【００１５】
なお、カード１００には、選択肢の内容を表す文字情報や画像以外の他の属性情報も対応付けられている。これらの属性情報については後述する。
【００１６】
カード１００は、選択肢の数だけ用意され、図２の上図に示すように、複数のカード１００が、ユーザによる選択操作を含む操作を受付可能な状態で、タッチパネルディスプレイ等の第１表示装置１３０に表示される。ユーザは、第１表示装置１３０に表示された複数のカード１００を見て、興味を惹いたカード１００や、自身の意見に関連するカード１００などを選択する。
【００１７】
各ユーザに選択されたカード１００は、図２の下図に示すように、ビジョンに集約され、ユーザによる選択操作を含む操作を受付可能な状態で、タッチパネルディスプレイ等の第２表示装置１５０に表示される。ビジョンは、ワークショップの目的などに応じて選択された背景１２０上に、第１表示装置１３０上から選択されたカード１００が配置されたものである。ユーザは、第２表示装置１５０上に表示されたカード１００を、適切な位置に配置したり、拡大、縮小したりする。このように、背景１２０上にカード１００が配置されることにより、ワークショップの目的に応じたビジョンが描かれる。
【００１８】
以下の実施形態では、上記のようなワークショップを行う場合に、過去に行われたワークショップの情報を参考にして、議論を発展させるために有用な情報を提示する。例えば、本実施形態は、上記のようなワークショップの開催前又は開催中に、ワークショップに参加しているユーザやファシリテータが実施することが想定される。
【００１９】
図３に示すように、本実施形態に係る表示制御システム１は、表示制御装置１０と、タッチパネルディスプレイ３０と、２つの操作ダイヤル３５とを含む。
【００２０】
タッチパネルディスプレイ３０は、図３に示すように、テーブルの天板上に設けられる。又は、タッチパネルディスプレイ３０自体で天板を構成してもよい。タッチパネルディスプレイ３０は、表示制御装置１０の制御により生成された画面７０を表示すると共に、ユーザのタッチ操作による入力を受け付ける。タッチパネルディスプレイ３０は、ユーザにより操作された座標位置、及びタッチ、ダブルタッチ等、どのような操作が行われたかを示す操作種別を操作情報として検出する。タッチパネルディスプレイ３０は、検出した操作情報を、表示制御装置１０へ出力する。
【００２１】
なお、タッチパネルディスプレイ３０に代えて、テーブルの天板上に画面７０を投影するプロジェクタと、画面７０に対する操作を検出するレーザレーダや、画面７０に対する接触時に赤外線を発する赤外線ペン等の操作検出部とを用いてもよい。
【００２２】
操作ダイヤル３５は、回転、クリック、長押し等の操作が可能な入力デバイスである。操作ダイヤル３５により、タッチパネルディスプレイ３０上に配置された際に、配置された位置に表示されているアイコン（詳細は後述）などのオブジェクトに対する操作や、各種メニューの実行が可能である。また、操作ダイヤル３５は、透過度の高い材質で構成することにより、操作ダイヤル３５が配置された部分に表示された画像も視認可能となる。また、操作ダイヤル３５は、Bluetooth（登録商標） Low Energy等の近距離無線通信規格に従って、表示制御装置１０と通信する。操作ダイヤル３５は、配置された座標位置、及び回転、クリック、長押し等、どのような操作が行われたかを示す操作種別を操作情報として検出する。操作ダイヤル３５は、検出した操作情報を、表示制御装置１０へ出力する。
【００２３】
なお、本実施形態においては、操作ダイヤル３５を用いる例で説明を行うが、操作ダイヤル３５に替えて別の手段を取ることもできる。例えば、アイコンなどのオブジェクトに対する操作や、各種メニューの実行指示ができれば、タッチパネルディスプレイ３０に対するユーザの手指によるタッチ等の方法を取ってもよい。
【００２４】
表示制御装置１０は、機能的には、図４に示すように、受付部１２と、抽出部１４と、表示制御部１６とを含む。また、表示制御装置１０の所定の記憶領域には、企業データベース（ＤＢ）２２と、カードＤＢ２４とが記憶される。
【００２５】
受付部１２は、１以上の属性情報が対応付けられたカード１００を１以上含む複数の集合から、２つの集合の選択を受け付ける。本実施形態では、複数の集合は、複数の要素を階層的に分類したものである。また、本実施形態では、一例として、要素を、過去にワークショップを行った企業とする。また、階層的な複数の集合における上位階層の集合（大分類）を産業別の集合とし、その下位階層の集合（中分類）を業種別の集合とし、さらに、下位階層であり最下層である集合（小分類）を各企業とする場合について説明する。
【００２６】
ここで、図５に、企業ＤＢ２２の一例を示す。図５の例では、各行（各レコード）が１つの企業の企業情報に相当する。各企業情報には、「企業ＩＤ」、「企業名」、「産業ＩＤ」、「業種ＩＤ」等の情報が含まれる。「企業ＩＤ」は、各企業の識別情報である。「産業ＩＤ」は、各企業が属する産業を示す識別情報、「業種ＩＤ」は、各企業が属する業種を示す識別情報である。各企業の「企業ＩＤ」に対応付けられた「産業ＩＤ」及び「業種ＩＤ」の情報により、各企業を上記の階層的な集合に分類することができる。
【００２７】
受付部１２は、具体的には、各集合をアイコンで表した集合画面（詳細は後述）に対するユーザの操作情報をタッチパネルディスプレイ３０及び操作ダイヤル３５から取得し、どのアイコンが選択されたかを特定することにより、集合の選択を受け付ける。
【００２８】
より具体的には、受付部１２は、集合の選択が、２つの集合の関連性を示す情報を表示するための選択である場合、選択された２つの集合の識別情報を抽出部１４へ通知する。なお、２つの集合は、同一階層に属する集合であってもよいし、異なる階層に属する集合であってもよい。また、受付部１２は、集合の選択が、集合の階層的な表示の展開又は折りたたみを指示するための選択である場合、選択された集合の識別情報を表示制御部１６へ通知する。集合の識別情報は、大分類の集合が選択された場合は産業ＩＤであり、中分類の集合が選択された場合は業種ＩＤであり、小分類の集合が選択された場合は企業ＩＤである。
【００２９】
集合の選択が、２つの集合の関連性を示す情報を表示するための選択か、又は、集合の階層的な表示の展開又は折りたたみを指示するための選択かは、タッチパネルディスプレイ３０及び操作ダイヤル３５のいずれからの操作情報かにより区別することができる。例えば、操作ダイヤル３５による選択は前者の選択、タッチパネルディスプレイ３０へのタッチ操作による選択は後者の選択などのように、予め定めておけばよい。操作ダイヤル３５による選択は、図６に示すように、操作ダイヤル３５をタッチパネルディスプレイ３０上に表示された集合のアイコン７４上に配置することで行うことができる。
【００３０】
また、受付部１２は、２つの集合が選択されている状態で、２つの集合のうちの第１の集合に含まれるカード１００から、１つのカード１００の選択を受け付ける。以下、この１つのカード１００を「指定カード」という。例えば、集合のアイコン７４上に配置された操作ダイヤル３５を回転させることにより、所定の位置に配置されたカード１００を、指定カードとして受け付けることができる（詳細は後述）。受付部１２は、操作ダイヤル３５から操作情報として取得した回転角度を表示制御部１６へ通知すると共に、受け付けた指定カードの識別情報であるカードＩＤを抽出部１４へ通知する。
【００３１】
さらに、受付部１２は、２つの集合を示すアイコンに対する、操作ダイヤル３５による所定の操作を受け付ける。例えば、図７に示すように、２つの操作ダイヤル３５を同時に右回転及び左回転させることを複数回繰り返す操作を、所定の操作として予め定めておくことができる。受付部１２は、所定の操作を受け付けると、その旨を抽出部１４へ通知する。
【００３２】
抽出部１４は、受付部１２から、２つの集合の識別情報が通知されると、過去にカード１００を利用したワークショップを行った企業の各々と、少なくとも１つ以上のカード１００とを対応付けて記憶したカードＤＢ２４を参照する。そして、抽出部１４は、２つの集合の各々に含まれるカード１００を特定する。
【００３３】
ここで、図８に、カードＤＢ２４の一例を示す。図８の例では、カードＤＢ２４には、企業−カードテーブル２４Ａと、意味情報テーブル２４Ｂと、評価値テーブル２４Ｃと、履歴テーブル２４Ｄとが含まれる。
【００３４】
企業−カードテーブル２４Ａは、各企業とカード１００との対応付けが記憶されたテーブルである。図８の例では、企業−カードテーブル２４Ａには、各企業の「企業ＩＤ」とカード１００の「カードＩＤ」とが対応付けて記憶されている。各企業に対応付けられるカード１００は、例えば、その企業が行ったワークショップで作成されたビジョンに配置されたカード１００、ワークショップの最中に選択されたカード１００、議論の対象になったカード１００等とすることができる。
【００３５】
意味情報テーブル２４Ｂは、カード１００がワークショップにおいて選択肢として機能するための、カード１００が表す意味を示す意味情報が記憶されるテーブルである。図８の例では、各行が１枚のカード１００についての意味情報に相当する。各意味情報は、「カードＩＤ」、カード１００に表示される「カードタイトル」、カード１００に表示される写真やイラストなどの「画像データ」等の情報を含む。また、各意味情報は、各カード１００に関連する「キーワード」の情報を含む。
【００３６】
評価値テーブル２４Ｃは、カード１００の意味情報の価値を評価した評価情報が記憶されるテーブルである。図８の例では、各行（各レコード）が１枚のカード１００についての評価情報に相当する。各評価情報は、各カード１００について、「効率」、「コスト」、「見栄え」等の複数の観点の評価項目毎の評価値を含む。図８の例では、評価値は、例えば、１〜５点の５段階評価の例を示しているが、これに限定されない。また、評価値テーブル２４Ｃは、業種毎、又は産業毎に用意してもよい。
【００３７】
履歴テーブル２４Ｄは、ワークショップにおいて、第１表示装置１３０上でカード１００が選択された履歴を示す履歴情報が記憶されるテーブルである。図８の例では、履歴テーブル２４Ｄには、選択されたカード１００の「カードＩＤ」に対応付けて、ワークショップを行った企業の「企業ＩＤ」、「選択日時」、「音圧」、「発話内容」等の情報が履歴情報として記憶されている。「選択日時」は、「カードＩＤ」が示す該当のカード１００がワークショップにおいて選択された日時である。
【００３８】
「音圧」は、該当のカード１００が選択された際のワークショップの会場の音圧である。音圧は、例えば、ワークショップの会場や、ワークショップに参加しているユーザに取り付けられたマイクから取得することができる。また、履歴情報として記憶する音圧は、該当のカード１００が選択された日時を含む所定期間におけるいずれかの時点での音圧、又はその所定期間内の音圧の平均や最大値などとすることができる。「発話内容」は、該当のカード１００が選択された日時を含む所定期間における、ワークショップの参加者の発話を示すテキストデータである。発話内容は、ワークショップに参加しているユーザに取り付けられたマイクから取得した音声データを音声認識することにより取得することができる。
【００３９】
また、履歴情報には、上記の音圧や発話内容以外の会場又は参加者の状況を示す情報を含めてもよい。例えば、該当のカード１００が選択された日時を含む所定期間における、ワークショップの参加者の心拍数や、会場内での位置情報を履歴情報に含めてもよい。
【００４０】
上記の意味情報テーブル２４Ｂ、評価値テーブル２４Ｃ、及び履歴テーブル２４Ｄの各々において、カードＩＤに対応付けられた情報は、カード１００の属性情報の一例である。
【００４１】
抽出部１４は、具体的には、受付部１２から通知された２つの集合の識別情報の各々に対応する企業の企業ＩＤを特定する。より具体的には、抽出部１４は、集合の識別情報が企業ＩＤの場合には、そのままその集合の識別情報を企業ＩＤとして特定する。また、抽出部１４は、集合の識別情報が産業ＩＤ又は業種ＩＤの場合には、企業ＤＢ２２から、その産業ＩＤ及び業種ＩＤを含む企業情報に含まれる全ての企業ＩＤを特定する。
【００４２】
抽出部１４は、企業−カードテーブル２４Ａから、特定した企業ＩＤの各々に対応付けられたカードＩＤを特定する。抽出部１４は、２つの集合の各々について特定したカードＩＤを表示制御部１６へ通知する。
【００４３】
また、抽出部１４は、受付部１２から指定カードのカードＩＤが通知されると、指定カードと属性情報が類似するカード１００を、第２の集合に含まれるカード１００から抽出する。
【００４４】
具体的には、抽出部１４は、指定カードのカードＩＤ、及び第２の集合に含まれる全てのカード１００のカードＩＤに対応する属性情報を、意味情報テーブル２４Ｂ、評価値テーブル２４Ｃ、及び履歴テーブル２４Ｄの各々から特定する。この際、抽出部１４は、履歴テーブル２４Ｄを参照して、各カード１００が選択された頻度を集計し、集計した頻度を属性情報に含める。
【００４５】
抽出部１４は、特定した各カード１００の属性情報を用いて、指定カードと第２の集合に含まれるカード１００の各々との組の類似度を算出する。カード１００の組の類似度は、各カード１００の属性情報のうち、一致する項目の数や、テキストの一致度等とすることができる。また、各カード１００の属性情報を数値化してベクトル化し、ベクトル間の距離やコサイン類似度などを、カード１００の組の類似度として算出してもよい。
【００４６】
抽出部１４は、第２の集合に含まれるカード１００のうち、指定カードとの類似度が最大となるカード１００のカードＩＤを抽出し、集合間類似情報として表示制御部１６へ通知する。
【００４７】
また、抽出部１４は、受付部１２から指定カードのカードＩＤが通知されると、指定カードと、第１の集合に含まれる他のカード１００の各々との組の類似度を算出し、類似度が所定値以上のカード１００のカードＩＤの組を抽出する。同様に、抽出部１４は、受付部１２から第２の集合の所定の位置に配置されたカード１００ＢのカードＩＤの通知を受け付ける。この場合、抽出部１４が、第２の集合の所定の位置に配置されたカード１００Ｂと、第２の集合に含まれる他のカード１００の各々との組の類似度を算出し、類似度が所定値以上のカード１００のカードＩＤの組を抽出する。そして、抽出部１４は、抽出したカードＩＤの組を、集合内類似情報として表示制御部１６へ通知する。
【００４８】
また、抽出部１４は、受付部１２から、所定の操作を受け付けた旨が通知されると、各カードの属性情報を用いて、第１の集合に含まれるカード１００と、第２の集合に含まれるカード１００との類似度を総当り的に算出する。抽出部１４は、算出した類似度が上位Ｎ位（Ｎは自然数）となるカードＩＤの組を抽出する。また、抽出部１４は、類似度が所定値以上のカードＩＤの組を抽出してもよい。そして、抽出部１４は、抽出したカードＩＤの組と、そのカードＩＤの組について算出された類似度とを集合間対応情報として表示制御部１６へ通知する。
【００４９】
表示制御部１６は、初期の集合画面として、図９に示すように、上位階層の集合のアイコン７４を含む集合画面７２が表示されるように、タッチパネルディスプレイ３０を制御する。なお、以下では、表示制御部１６がタッチパネルディスプレイ３０の表示を制御することを、単に「表示する」という。
【００５０】
また、表示制御部１６は、受付部１２から、選択された集合の識別情報が通知されると、その識別情報が示す集合の下位階層の集合を展開表示する。選択された集合が、既に展開されている場合には、表示制御部１６は、その表示を折りたたむ。
【００５１】
例えば、図９に示す集合画面７２から「製造業」のアイコン７４が選択されたことを示す集合の識別情報（ここでは、「製造業」を示す産業ＩＤ）が通知されたとする。この場合、表示制御部１６は、図１０に示すように、産業「製造業」に属する業種（「自動車」、「電機」、「食料品」等）の集合を示すアイコン７６を、「製造業」のアイコン７４と線７８で接続して表示する。また、この際、表示制御部１６は、選択されなかった産業のアイコン（「建設業」、「不動産」等）も、異なる階層間での集合の選択を許容するために、表示したままとしておく。
【００５２】
また、例えば、図１０に示す集合画面７２から「自動車」のアイコン７６が選択されたことを示す集合の識別情報（ここでは、「自動車」を示す業種ＩＤ）が通知されたとする。この場合、表示制御部１６は、図１１に示すように、業種「自動車」に属する企業（「ＸＸＸ」、「ＺＺＺ」等）の集合を示すアイコン８０を、「自動車」のアイコン７６と線７８で接続して表示する。また、この際、表示制御部１６は、選択されなかった産業のアイコン（「建設業」、「不動産」等）、及び業種のアイコン（「電機」、「食料品」等）も、異なる階層間での集合の選択を許容するために、表示したままとしておく。
【００５３】
なお、図１０及び図１１では、選択された集合を二重線のアイコンで示し、その他の集合を実線のアイコンで示している。
【００５４】
また、図１１に示す集合画面７２から「自動車」のアイコン７６が選択されたことを示す集合の識別情報（ここでは、「自動車」を示す業種ＩＤ）が通知されたとすると、表示制御部１６は、集合画面７２の表示を図１０に示す状態に戻す。同様に、図１０に示す集合画面７２から「製造業」のアイコン７４が選択されたことを示す集合の識別情報（ここでは、「製造業」を示す産業ＩＤ）が通知されたとすると、表示制御部１６は、集合画面７２の表示を図９に示す状態に戻す。
【００５５】
なお、表示制御部１６は、各アイコン７４、７６、８０の配置やサイズを、そのアイコン７４、７６、８０に対応する集合が選択されているか否か、展開表示しているか否か等に応じて、適宜変更する。また、アイコン７４、７６内に表示する産業名及び業種名は、産業ＩＤ及び業種ＩＤの各々に対応付けて、所定の記憶領域に記憶されているものとする。また、アイコン８０内に表示する企業名は、企業ＤＢ２２から取得可能である。
【００５６】
また、表示制御部１６は、抽出部１４から、２つの集合に含まれるカード１００のカードＩＤが通知されると、２つの集合を示すアイコンの各々の外周に、各集合に対応するカードＩＤが示すカード１００を表示する。
【００５７】
具体的には、表示制御部１６は、抽出部１４から通知されたカードＩＤに対応するカードタイトル及び画像データをカードＤＢ２４の意味情報テーブル２４Ｂから取得する。そして、表示制御部１６は、取得した情報に基づいてカード１００を画像化し、図１２に示すように、各々対応する集合のアイコン７６Ａ、７６Ｂの外周にカード１００を配置したカード選択画面８２を表示する。
【００５８】
また、表示制御部１６は、受付部１２から、操作ダイヤル３５の回転角度が通知されると、通知された回転角度に応じて、カード１００を第１の集合のアイコン７６Ａの外周に沿って回転させる。また、表示制御部１６は、第１の集合のアイコン７６Ａの外周上の所定の位置に配置されたカード１００を拡大表示する。図１２の例では、第１の集合のアイコン７６Ａの外周上において、第２の集合のアイコン７６Ｂと対向する位置、例えば、アイコン７６Ａ、７６Ｂ間の距離が最短となる位置を所定の位置とする場合を示している。なお、図１２の例では、カード１００Ａが所定の位置に配置されたカードであり、このカード１００ＡのカードＩＤが、指定カードのカードＩＤとして受付部１２から抽出部１４へ通知される。
【００５９】
また、表示制御部１６は、抽出部１４から集合間類似情報が通知されると、集合間類似情報が示す第２の集合のカード１００を所定の位置に移動させる。所定の位置は、上記の第１の集合における所定の位置と同様に、第２の集合のアイコン７６Ｂの外周上において、第１の集合のアイコン７６Ａと対向する位置とすることができる。例えば、図１２に示すカード１００ＢのカードＩＤが集合間類似情報として通知された場合、図１３中の矢印Ｐに示すように、カード１００Ｂを移動させる。
【００６０】
また、表示制御部１６は、図１３に示すように、第２の集合のアイコン７６Ｂの外周上の所定の位置に移動したカード１００Ｂを拡大表示すると共に、第１の集合のアイコン７６Ａの外周上の所定の位置に配置されたカード１００Ａとの間に線８６を表示する。また、表示制御部１６は、抽出部１４から集合内類似情報が通知されると、図１３に示すように、集合内類似情報が示すカードＩＤの組が示す、各集合内のカード１００間に線８８を表示する。以下では、図１３の画面を「第１表示画面８４」という。
【００６１】
また、表示制御部１６は、抽出部１４から集合間対応情報が通知されると、図１４に示すように、集合間対応情報が示すカードＩＤの組の各々が示す各カード１００を、各集合のアイコン７６Ａ、７６Ｂの外周上の対向する位置に配置する。そして、表示制御部１６は、カード１００の組の各々の間に線９２を表示する。この際、表示制御部１６は、各線９２が交差しない位置に、各カード１００を配置する。さらに、表示制御部１６は、集合間対応情報に含まれる類似度が高いカードＩＤの組が示すカード１００の組ほど、カード１００間の距離が短くなる位置に、各カード１００を配置する。図１４の例では、線９２Ｃ、９２Ｂ、９２Ｄ、９２Ａ、９２Ｅで結ばれたカード１００間の順に、属性情報の類似度が高いことを表している。以下では、図１４の画面を「第２表示画面９０」という。
【００６２】
なお、表示制御部１６は、線８６、８８、９２を表示する際に、一方のカード１００から他方のカード１００に向けて線８６、８８、９２が延伸するようなアニメーション表示を行ってもよい。また、図１２〜図１４では、２つの集合が、中分類（業種）の集合から選択された例を示しているが、大分類（産業）の集合から選択されてもよいし、小分類（企業）の集合から選択されてもよいし、２つの集合が異なる階層から選択されてもよい。
【００６３】
表示制御装置１０は、例えば図１５に示すコンピュータ４０で実現することができる。コンピュータ４０は、ＣＰＵ（Central Processing Unit）４１と、一時記憶領域としてのメモリ４２と、不揮発性の記憶部４３とを備える。また、コンピュータ４０は、タッチパネルディスプレイ３０、及び他の入出力装置が接続される入出力インターフェース（Ｉ／Ｆ）４４を備える。また、コンピュータ４０は、記憶媒体４９に対するデータの読み込み及び書き込みを制御するＲ／Ｗ（Read/Write）部４５と、操作ダイヤル３５との通信を行う通信Ｉ／Ｆ４６とを備える。ＣＰＵ４１、メモリ４２、記憶部４３、入出力Ｉ／Ｆ４４、Ｒ／Ｗ部４５、及び通信Ｉ／Ｆ４６は、バス４７を介して互いに接続される。
【００６４】
記憶部４３は、ＨＤＤ（Hard Disk Drive）、ＳＳＤ（Solid State Drive）、フラッシュメモリ等によって実現できる。記憶媒体としての記憶部４３には、コンピュータ４０を表示制御装置１０として機能させるための表示制御プログラム５０が記憶される。表示制御プログラム５０は、受付プロセス５２と、抽出プロセス５４と、表示制御プロセス５６とを有する。また、記憶部４３は、企業ＤＢ２２及びカードＤＢ２４の各々を構成する情報が記憶される情報記憶領域６０を有する。
【００６５】
ＣＰＵ４１は、表示制御プログラム５０を記憶部４３から読み出してメモリ４２に展開し、表示制御プログラム５０が有するプロセスを順次実行する。ＣＰＵ４１は、受付プロセス５２を実行することで、図４に示す受付部１２として動作する。また、ＣＰＵ４１は、抽出プロセス５４を実行することで、図４に示す抽出部１４として動作する。また、ＣＰＵ４１は、表示制御プロセス５６を実行することで、図４に示す表示制御部１６として動作する。また、ＣＰＵ４１は、情報記憶領域６０から情報を読み出して、企業ＤＢ２２及びカードＤＢ２４の各々をメモリ４２に展開する。これにより、表示制御プログラム５０を実行したコンピュータ４０が、表示制御装置１０として機能することになる。なお、プログラムを実行するＣＰＵ４１はハードウェアである。
【００６６】
次に、本実施形態に係る表示制御システム１の作用について説明する。表示制御システム１が起動すると、表示制御装置１０において、図１６に示す表示制御処理が実行される。なお、表示制御処理は、開示の技術の表示制御方法の一例である。
【００６７】
まず、ステップＳ１２で、表示制御部１６が、図９に示すように、上位階層の集合のアイコン７４を含む、初期の集合画面７２を表示する。
【００６８】
次に、ステップＳ１４で、受付部１２が、ユーザの操作情報をタッチパネルディスプレイ３０又は操作ダイヤル３５から取得し、集合の階層的な表示の展開又は折りたたみを指示するための集合の選択を受け付けたか否かを判定する。受け付けた場合には、受付部１２が、選択された集合の識別情報を表示制御部１６へ通知し、処理はステップＳ１６へ移行する。一方、受け付けていない場合には、処理はステップＳ１８へ移行する。
【００６９】
ステップＳ１６では、表示制御部１６が、受付部１２から通知された集合の識別情報が示す集合の下位階層の集合を展開表示する。又は、選択された集合が、既に展開されている場合には、表示制御部１６は、展開表示された集合の階層的な表示を折りたたむ。そして、処理はステップＳ７０へ移行する。
【００７０】
一方、ステップＳ１８では、受付部１２が、２つの集合の関連性を示す情報を表示するための集合の選択を受け付けたか否かを判定する。受け付けた場合には、受付部１２が、選択された２つの集合の識別情報を抽出部１４へ通知し、処理はステップＳ２０へ移行する。一方、受け付けていない場合には、処理はステップＳ７０へ移行する。
【００７１】
ステップＳ２０では、抽出部１４が、受付部１２から通知された２つの集合の識別情報に対応する企業の企業ＩＤを、企業ＤＢ２２を参照して特定する。
【００７２】
次に、ステップＳ２２で、抽出部１４が、企業−カードテーブル２４Ａから、上記ステップＳ２０で特定した企業ＩＤの各々に対応付けられたカードＩＤを特定する。抽出部１４は、２つの集合の各々について特定したカードＩＤを表示制御部１６へ通知する。
【００７３】
次に、ステップＳ２４で、表示制御部１６が、抽出部１４から通知されたカードＩＤに対応するカードタイトル及び画像データをカードＤＢ２４の意味情報テーブル２４Ｂから取得する。そして、表示制御部１６が、取得した情報に基づいてカード１００を画像化し、図１２に示すように、各々対応する集合のアイコン７６Ａ、７６Ｂの外周にカード１００を配置したカード選択画面８２を表示する。
【００７４】
次に、ステップＳ２６で、受付部１２が、操作ダイヤル３５から操作情報として回転角度を取得したか否かを判定することにより、カード選択画面８２に表示された第１の集合において、指定カードを選択する操作が行われたか否かを判定する。指定カードを選択する操作が行われた場合には、受付部１２が、回転角度の情報を表示制御部１６へ通知して、処理はステップＳ３０へ移行する。一方、指定カードを選択する操作が行われていない場合には、処理はステップＳ５０へ移行する。
【００７５】
ステップＳ３０では、図１７に示す第１表示処理が実行される。
【００７６】
図１７のステップＳ３２で、表示制御部１６が、受付部１２から通知された回転角度に応じて、カード１００を第１の集合のアイコン７６Ａの外周に沿って回転させる。次に、ステップＳ３４で、表示制御部１６が、第１の集合のアイコン７６Ａの外周上の所定の位置に配置されたカード１００を拡大表示する。
【００７７】
次に、ステップＳ３６で、受付部１２が、操作ダイヤル３５から操作情報として回転角度を引き続き取得しているか否かを判定することにより、指定カードを選択する操作が継続しているか終了したかを判定する。指定カードを選択する操作が継続している場合には、処理はステップＳ３２に戻り、終了した場合には、処理はステップＳ３８へ移行する。
【００７８】
ステップＳ３８では、受付部１２が、所定の位置に配置されたカード１００ＡのカードＩＤを、指定カードのカードＩＤとして受け付け、受け付けたカードＩＤを抽出部１４へ通知する。そして、抽出部１４が、受付部１２から指定カードのカードＩＤ、及び第２の集合に含まれる全てのカード１００のカードＩＤに対応する属性情報を、意味情報テーブル２４Ｂ、評価値テーブル２４Ｃ、及び履歴テーブル２４Ｄの各々から特定する。抽出部１４は、特定した各カード１００の属性情報を用いて、指定カードと第２の集合に含まれるカード１００の各々との組の類似度を算出する。
【００７９】
次に、ステップＳ４０で、抽出部１４が、第２の集合に含まれるカード１００のうち、指定カードとの類似度が最大となるカード１００のカードＩＤを抽出し、集合間類似情報として表示制御部１６へ通知する。そして、表示制御部１６が、抽出部１４から通知された集合間類似情報が示す第２の集合のカード１００を所定の位置に移動させる。また、表示制御部１６が、第２の集合のアイコン７６Ｂの外周上の所定の位置に移動したカード１００Ｂを拡大表示する。
【００８０】
次に、ステップＳ４２で、表示制御部１６が、第２の集合のアイコン７６Ｂの外周上の所定の位置に移動したカード１００Ｂと、第１の集合のアイコン７６Ａの外周上の所定の位置に配置されたカード１００Ａとの間に線８６を表示する。受付部１２は、第２の集合のアイコン７６Ｂの外周上の所定の位置に移動したカード１００ＢのカードＩＤを抽出部１４へ通知する。
【００８１】
次に、ステップＳ４４で、抽出部１４が、受付部１２から指定カードのカードＩＤが通知されると、指定カードと、第１の集合に含まれる他のカード１００の各々との組の類似度を算出する。同様に、抽出部１４が、受付部１２から第２の集合の所定の位置に配置されたカード１００ＢのカードＩＤの通知を受け付けと、第２の集合の所定の位置に配置されたカード１００Ｂと、第２の集合に含まれる他のカード１００の各々との組の類似度を算出する。
【００８２】
次に、ステップＳ４６で、抽出部１４が、第１の集合及び第２の集合の各々について算出した類似度が所定値以上のカード１００のカードＩＤの組を抽出し、集合内類似情報として表示制御部１６へ通知する。そして、表示制御部１６が、集合内類似情報が示すカードＩＤの組が示す、各集合内のカード１００間に線８８を表示する。そして、第１表示処理は終了し、図１６に示す表示制御処理に戻る。
【００８３】
図１６のステップＳ５０では、受付部１２が、２つの集合を示すアイコン７６Ａ、７６Ｂに対する、操作ダイヤル３５による所定の操作を受け付けたか否かを判定する。所定の操作を受け付けた場合には、受付部１２が、所定の操作を受け付けた旨を抽出部１４へ通知し、処理はステップＳ６０へ移行する。一方、所定の操作を受け付けていない場合には、処理はステップＳ７０へ移行する。
【００８４】
ステップＳ６０では、図１８に示す第２表示処理が実行される。
【００８５】
図１８のステップＳ６２で、抽出部１４が、各カード１００の属性情報を用いて、第１の集合に含まれるカード１００と、第２の集合に含まれるカード１００との類似度を総当り的に算出する。
【００８６】
次に、ステップＳ６４で、抽出部１４が、算出した類似度が上位Ｎ位（Ｎは自然数）となるカードＩＤの組を抽出し、類似度と共に、集合間対応情報として表示制御部１６へ通知する。
【００８７】
次に、ステップＳ６６で、表示制御部１６が、抽出部１４から通知された集合間対応情報が示すカードＩＤの組の各々が示す各カード１００を、各集合のアイコン７６Ａ、７６Ｂの外周上の対向する位置に配置し、カード１００の組の各々の間に線９２を表示する。この際、表示制御部１６は、各線９２が交差しない位置、かつ集合間対応情報に含まれる類似度が高いカードＩＤの組が示すカード１００の組ほど、カード１００間の距離が短くなる位置に、各カード１００を配置する。そして、第２表示処理は終了し、図１６に示す表示制御処理に戻る。
【００８８】
次に、図１６のステップＳ７０で、受付部１２が、タッチパネルディスプレイ３０又は操作ダイヤル３５から操作情報を取得し、表示制御処理の終了を指示する操作情報を受け付けたか否かを判定する。受付部１２が、表示制御処理の終了を指示する操作情報を受け付けていない場合には、処理はステップＳ１４に戻り、受け付けた場合には、表示制御処理は終了する。
【００８９】
以上説明したように、本実施形態に係る表示制御システムによれば、表示制御装置が、集合を示すアイコンの外周に、その集合に含まれるカードを配置すると共に、集合間で属性情報が類似するカードを、アイコンの対向する位置に配置して表示する。このように、集合間の関連性を示す情報である、集合間で類似するカードが互いに引き寄せられたような状態で表示されるため、集合間の関連性を示す情報を把握し易く表示することができる。これにより、ワークショップの参加者は、集合間の関連性を示す情報として提示されたカードを参照して、同業種での課題、異業種間での類似性、異業種間での連携の可能性等、ワークショップにおける議論を発展させるために有用な情報を読み取ることができる。
【００９０】
また、第１の集合から指定されたカードと、そのカードに類似する第２の集合のカードとを対向配置する第１表示画面と、第１の集合と第２の集合とで、属性情報の類似度が高いカード同士を対向配置する第２表示画面とを表示する。これにより、異なる観点で集合間の関連性を示す情報を表示することができる。
【００９１】
また、カード選択画面（図１２）と第１表示画面（図１３）と第２表示画面（図１４）とは、適宜切り替えながら表示することができ、その切り替えも、操作ダイヤルによる直感的な操作により簡易に行うことができる。
【００９２】
また、分類の粒度が異なる集合間では、本来属性情報に相違が生じるため、集合間を比較して関連性を示す情報を提示することは困難である。本実施形態によれば、カードを介することにより、異なる階層の集合間であっても、集合間の関連性を示す情報を提示することができる。
【００９３】
また、カードの属性情報として、意味情報、評価情報、及びワークショップで選択された履歴情報を用いることにより、ワークショップで議論を発展させるために有用な情報を提示することができる。
【００９４】
なお、上記実施形態では、集合の要素が企業であり、上位階層の集合が産業及び業種である場合について説明したが、これに限定されない。要素は、本実施形態にけるカードを対応付けることが可能なグループであればよく、上位階層の集合も、そのグループに応じた集合であればよい。
【００９５】
また、上記実施形態では、表示制御装置の各機能部を１つのコンピュータで実現する場合について説明したが、各機能部をそれぞれ異なるコンピュータに分散したシステムとして構成してもよい。
【００９６】
また、上記実施形態では、表示制御プログラムが記憶部に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記憶媒体に記憶された形態で提供することも可能である。
【符号の説明】
【００９７】
１     表示制御システム
１０   表示制御装置
１２   受付部
１４   抽出部
１６   表示制御部
２２   企業ＤＢ
２４   カードＤＢ
２４Ａ 企業−カードテーブル
２４Ｂ 意味情報テーブル
２４Ｃ 評価値テーブル
２４Ｄ 履歴テーブル
３０   タッチパネルディスプレイ
３５   操作ダイヤル
４０   コンピュータ
４１   ＣＰＵ
４２   メモリ
４３   記憶部
４９   記憶媒体
５０   表示制御プログラム
１００ カード
【図１】
2020026317.tif 000003
【図２】
2020026317.tif 000004
【図３】
2020026317.tif 000005
【図４】
2020026317.tif 000006
【図５】
2020026317.tif 000007
【図６】
2020026317.tif 000008
【図７】
2020026317.tif 000009
【図８】
2020026317.tif 000010
【図９】
2020026317.tif 000011
【図１０】
2020026317.tif 000012
【図１１】
2020026317.tif 000013
【図１２】
2020026317.tif 000014
【図１３】
2020026317.tif 000015
【図１４】
2020026317.tif 000016
【図１５】
2020026317.tif 000017
【図１６】
2020026317.tif 000018
【図１７】
2020026317.tif 000019
【図１８】
2020026317.tif 000020
【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
１以上の属性情報が対応付けられたカードを１以上含む複数の集合から、２つの集合の選択を受け付け、
選択された前記２つの集合の各々に含まれるカードから、前記２つの集合間で、前記カードに対応付けられた属性情報が類似するカードを抽出し、
前記２つの集合を示すアイコンの各々の外周であって、２つの前記アイコンが対向する位置に、抽出した前記カードを表示する
ことを含む処理をコンピュータに実行させるための表示制御プログラム。
【請求項２】
前記２つの集合のうちの第１の集合に含まれるカードから、１つのカードの選択を受け付け、
選択された前記１つのカードと属性情報が類似するカードを、前記２つの集合のうちの第２の集合に含まれるカードから抽出し、
選択された前記１つのカードと、抽出された前記カードとを、前記対向する位置に表示する
請求項１に記載の表示制御プログラム。
【請求項３】
前記第１の集合に含まれるカードから、選択された前記１つのカードと属性情報が類似するカードを抽出すると共に、前記第２の集合に含まれるカードから、前記第２の集合から前記１つのカードと属性情報が類似するカードとして抽出された前記カードと属性情報が類似するカードを抽出し、
前記第１の集合内及び前記第２の集合内の各々で、前記属性情報が類似するカードの組を線で結んで表示する
請求項２に記載の表示制御プログラム。
【請求項４】
前記２つの集合を示すアイコンに対する所定の操作を受け付けた場合に、選択された前記２つの集合の各々に含まれるカードから、前記２つの集合間で、前記カードに対応付けられた属性情報が類似するカードの組を複数抽出し、
前記カードの組を線で結ぶと共に、前記線が交差しない位置に、抽出した前記カードを表示する
請求項１〜請求項３のいずれか１項に記載の表示制御プログラム。
【請求項５】
前記カードの組のうち、属性情報の類似度が高いほど、カード間の距離が短くなる位置に表示する請求項４に記載の表示制御プログラム。
【請求項６】
前記２つの集合の選択として、異なる階層間の集合の選択を許容する請求項１〜請求項５のいずれか１項に記載の表示制御プログラム。
【請求項７】
前記属性情報は、前記カードが議論の場で選択される選択肢として機能するための意味情報を含む請求項１〜請求項６のいずれか１項に記載の表示制御プログラム。
【請求項８】
前記属性情報は、前記カードが示す意味情報の価値を評価した評価情報を含む請求項７に記載の表示制御プログラム。
【請求項９】
前記属性情報は、前記カードが前記議論の場で選択された履歴情報を含む請求項７又は請求項８に記載の表示制御プログラム。
【請求項１０】
前記履歴情報は、前記カードが前記議論の場で選択された頻度、及び前記カードが選択された際の前記議論の場の状況の少なくとも一方を含む請求項９に記載の表示制御プログラム。
【請求項１１】
１以上の属性情報が対応付けられたカードを１以上含む複数の集合から、２つの集合の選択を受け付ける受付部と、
選択された前記２つの集合の各々に含まれるカードから、前記２つの集合間で、前記カードに対応付けられた属性情報が類似するカードを抽出する抽出部と、
前記２つの集合を示すアイコンの各々の外周であって、２つの前記アイコンが対向する位置に、抽出した前記カードを表示する表示制御部と、
を含む表示制御装置。
【請求項１２】
１以上の属性情報が対応付けられたカードを１以上含む複数の集合から、２つの集合の選択を受け付け、
選択された前記２つの集合の各々に含まれるカードから、前記２つの集合間で、前記カードに対応付けられた属性情報が類似するカードを抽出し、
前記２つの集合を示すアイコンの各々の外周であって、２つの前記アイコンが対向する位置に、抽出した前記カードを表示する
ことを含む処理をコンピュータが実行する表示制御方法。
【国際調査報告】
2020026317.tif 000021
2020026317.tif 000022
2020026317.tif 000023
2020026317.tif 000024